(57)【要約】【課題】  適宜、使用目的に応じた形態に成り得るベッド及び浴槽の介護装置を提供する。【解決手段】  バスベッドセット１は、浴槽２と、浴槽２を設置可能なベッドフレーム２７と、ベッド部７とからなり、ベッドとして使用する場合は、ベッド部７を平面状ベッド部または可動自在ベッド部を選択して構成し、ベッド部７をベッドフレーム２７に載置してベッドとして独立して使用できる。また、ベッドに浴槽を組み合わせて使用する場合は、ベッド部７を平面状ベッド部または可動自在ベッド部を選択して構成し、ベッド部７を浴槽２の段差部１０に載置してベッドとして使用すると共に、入浴時には、被介護人とベッド部７との間に入浴用ネットを敷き、被介護人と共に入浴用ネットを上昇させてベッド部７を取り除いた後、入浴用ネットを浴槽部９内まで降ろして、入浴用ネットで被介護人を支えながら入浴させることができる。【選択図】        図２
2005270301.tif 000002
【特許請求の範囲】
【請求項１】
浴槽と、該浴槽を設置可能なベッドフレームと、該ベッドフレームに昇降及び設置可能なベッド部とを、使用目的に応じて選択的に組み合わせて使用するバスベッドセットであって、前記ベッド部は、全面が平面状に構成された平面状ベッド部と、背上部、中間平面部及び脚上部を備えた可動自在ベッド部と、背上部、中間平面部及び脚上部を備えそれぞれが分割可能な可動自在ベッド部と、背上部及び脚側平面部を備えた可動自在ベッド部とのいずれかで構成されることを特徴とするバスベッドセット。
【発明の詳細な説明】
【技術分野】
【０００１】
本発明は、主に介護を必要とする被介護人に使用されるバスベッドセットであって、特に、使用者の健康状態に応じて、ベッドとして独立して使用でき、またベッドに浴槽を組み合わせ共に使用できるバスベッドセットに関するものである。
【背景技術】
【０００２】
老人や身体の不自由な人等、介護を必要とする人（以下被介護人という）にとって、入浴することは大変な労力を要し、一人で入浴することが困難な重度の被介護人もいる。一般的に、被介護人を入浴させる場合には、被介護人と共にベッドを浴槽近くまで移動させ、複数の介護人によって被介護人をベッドの上から抱きかかえて浴槽内に下ろし、洗浄した後、再び被介護人を抱きかかえ、ベッドまで戻して安置させるという労をとっていた。このような、従来の入浴法では、介護人の労力が相当なものになり、入浴を毎日行うことが不可能となり、不便を強いられていた。
【０００３】
そこで、上述の問題を解決するため、ベッド部に浴槽を一体化させて、被介護人が寝たままの状態で入浴できるようにした従来技術として特許文献１には、ベッドの大きさに相当する矩形状の上フレームと下フレームとを浴槽の高さに合わせて上下二段に離間して設け、該下フレームの一側を浴槽台車に固定した浴槽を上下フレームの間に出入り可能にするとともに、上フレームを覆うようにエアーマットを張設しているので、被介護人はエアーマット上に寝ることができ、さらに入浴時には、エアーマットの下に浴槽が浴槽台車に載せられた状態で挿入され、エアーマット内を空気を抜くことによりエアーマットがたわみ、被介護人が寝たままの状態で入浴することが可能になることが開示されている。
【０００４】
【特許文献１】特公平５−６７２９６号公報
【発明の開示】
【発明が解決しようとする課題】
【０００５】
上述したように、特許文献１では、被介護人が入浴する際に、上下フレームの間に、浴槽台車に載せたまま浴槽が挿入され、エアーマットの空気を抜いてエアーマットをたわませて、被介護人を寝たまま入浴させることができるが、使用形態が限られており、ベッドとして使用する際、背上機能や脚上機能等満足する機能が整備されておらず、不都合を生じることがある。
【０００６】
本発明は、かかる点に鑑みてなされたものであり、使用目的に応じて、適宜その目的に応じた形態に成り得るバスベッドセットを提供することを目的とする。
【課題を解決するための手段】
【０００７】
本発明は、上記課題を解決するための手段として、請求項１に記載した発明は、浴槽と、該浴槽を設置可能なベッドフレームと、該ベッドフレームに昇降及び設置可能なベッド部とを、使用目的に応じて選択的に組み合わせて使用するバスベッドセットであって、前記ベッド部は、全面が平面状に構成された平面状ベッド部と、背上部、中間平面部及び脚上部を備えた可動自在ベッド部と、背上部、中間平面部及び脚上部を備えそれぞれが分割可能な可動自在ベッド部と、背上部及び脚側平面部を備えた可動自在ベッド部とのいずれかで構成されることを特徴とするものである。
このように構成することにより、介護人が付き添うことにより入浴できる軽度な被介護人がベッドとして独立して使用する時には、ベッド部を平面状ベッド部または可動自在ベッド部のいずれかに構成して、ベッド部をベッドフレームに設置してベッドとして使用する。
また、被介護人が寝たきりの状態で、ベッドに浴槽を組み合わせて使用する場合には、平面状ベッド部または可動自在ベッド部のいずれかのベッド部を、浴槽の上部に載置してベッドとして使用すると共に、入浴時には、被介護人とベッド部との間に入浴用ネットを敷いて、被介護人と共に入浴用ネットを上昇させて、入浴用ネットとベッド部との間に隙間を形成すると共にベッド部を取り除いた後、入浴用ネットを浴槽内に降ろして、入浴用ネットで被介護人を支えながら被介護人を入浴させる。
【発明の効果】
【０００８】
本発明のバスベッドセットによれば、被介護人の健康状態、すなわち介護される度合が軽度な被介護人から重度な被介護人それぞれに対応させ、その使用する形態を選択することができるので、使用形態が限られることなく効率的で、しかも、取扱いが容易である。
【発明を実施するための最良の形態】
【０００９】
以下、本発明を実施するための最良の形態を図１〜図９に基いて詳細に説明する。
本発明の実施の形態に係るバスベッドセット１は、図１〜図３に示すように、浴槽２と、浴槽２を支持可能な支柱３〜６を備えたベッドフレーム２７と、この支柱３〜６に沿って昇降可能であると共に、浴槽２内に設けた段差部１０、あるいはベッドフレーム２７に載置可能なベッド部７とから概略構成されている。
【００１０】
浴槽２は、図１〜図３に示すように、縦長に形成され、頭部側に長円形状の洗髪部８と、その底面が洗髪部８の後端から斜下方向に延びさらに直線状に延びる浴槽部９と、浴槽部９の上面と略面一で浴槽部９の周りに設けられた段差部１０と、浴槽２の左右側の段差部１０、１０に設けられたオーバフーロー孔１１、１１とから構成されている。浴槽部９の後方側の壁部には給水口１２が設けられ、この給水口１２に配管１３を介して給水ポンプ１４が連通されており、給水ポンプ１４から浴槽２内に温水が供給される。また、洗髪部８の底部及び浴槽部９の底部の中央には、それぞれ排水口２０、２１が設けられている。
【００１１】
また、ベッドフレーム２７の各支柱３〜６は、長手方向に延びる上下２本のフレーム材２５、２６によって接続されている。この内の上方のフレーム材２６、２６に、浴槽２の左右側の段差部１０、１０の端部、あるいはベッド部７が図示しない取付金具を介して取り外し自在に載置されている。また、ベッドフレーム２７の各支柱３〜６は、短手方向に延びる上、中、下３本のフレーム材３０〜３２によって接続されている。さらに、ベッドフレーム２７の支柱３と４との間及び支柱５と６との間には、ベッド部７の昇降方向をガイドするためのフレーム材３３、３４が各２本ずつ立設されており、さらにベッドフレーム２７の支柱３と５との間及び支柱４と６との間にも、ベッド部７の昇降方向をガイドするためのフレーム材３５、３６が各２本ずつ立設されている。
また、各フレーム材３５、３６の上端に案内ローラ３８が、また、各フレーム材３５、３６の下方で、フレーム材３１と３２との間にそれぞれ駆動ドラム３９が備えられており、各駆動ドラム３９に巻回された各ワイヤ４０が各案内ローラ３８で案内され、その端部がベッド部７の端部（４箇所）に接続されている。各駆動ドラム３９には、図示しない駆動手段（例えば電動モータ又は手動ハンドル）が連結され、駆動手段を駆動させることにより、各駆動ドラム３９を回動させて各ワイヤ４０を介してベッド部７を昇降させるようにしている。
【００１２】
ベッド部７は、以下に説明する３種類のベッド部のいずれかを、それぞれその使用目的に応じて、適宜ベッドフレーム２７または浴槽２と組み合わせて構成される。
第１形態の平面状ベッド部４１は、図４に示すように、略矩形状に形成されその外形寸法は、浴槽２の段差部１０に載置できる寸法に設定されており、複数のフレーム材によって格子状に組み合わされ平面状に形成されると共に、各ワイヤ４０の端部が接続される接続穴４２が４箇所形成されている。
また、この平面状ベッド部４１は、浴槽２を使用しない使用形態の場合は、ベッドフレーム２７の長手方向に延びる各フレーム材２６、２６に図示しない取付金具を介して直接設置される。
【００１３】
第２形態の背上機能及び脚上機能を有する可動自在ベッド部４５は、図５に示すように、外枠４６と、この外枠４６内に配設される、頭部側から背上部４７、中間平面部４８及び脚上部４９とから構成されている。また、これら外枠４６、背上部４７、中間平面部４８及び脚上部４９はそれぞれ分割可能に構成されており、この背上機能及び脚上機能を有する可動自在ベッド部４５を取り付ける場合または取り外す場合に、背上部４７、中間平面部４８及び脚上部４９を一体に取扱う使用形態と、外枠４６、背上部４７、中間平面部４８及び脚上部４９をそれぞれ分割して取扱う使用形態との２つの使用形態で使用できるように構成されている。外枠４６は、略矩形状に形成されその外形寸法が浴槽２の段差部１０に載置できる寸法に設定されると共に、各ワイヤ４０の端部が接続される接続穴４２が４箇所形成されている。背上部４７は、複数のフレーム材によって格子状に組み合わされた平面部５０が形成され、この平面部５０が左右方向に延びる軸部５１を支点として、図示しない駆動手段により矢印の方向に回動するように構成されている。また、中間平面部４８は、複数のフレーム材によって格子状に組み合わされ平面状に形成されている。さらに、脚上部４９は、複数のフレーム材によって組み合わされた隣接する平面部５２、５２の端部が、図示しない駆動手段により互いに突出して山形状になるように構成されている。
また、この背上機能及び脚上機能を有する可動自在ベッド部４５を使用する場合も、浴槽２を使用しない使用形態の場合には、可動自在ベッド部４５は、ベッドフレーム２７の長手方向に延びる各フレーム材２６、２６に図示しない取付金具を介して直接設置される。
【００１４】
第３形態の背上機能を有する可動自在ベッド部５５は、図６に示すように、外枠５６と、この外枠５６内に配設される、頭部側から背上部５７及び脚側平面部５８とから構成されている。外枠５６は、略矩形状に形成されその外形寸法が浴槽２の段差部１０に載置できる寸法に設定されると共に、各ワイヤ４０の端部が接続される接続穴４２が４箇所形成されている。背上部５７は、前述した背上部４７とほぼ同一の構造であり、複数のフレーム材により格子状に組み合わされた平面部５９が形成され、この平面部５９が左右方向に延びる軸部６０を支点として、図示しない駆動手段により矢印の方向に回動するように構成されている。また、脚側平面部５８は、背上部５７の端部から脚側の端部まで、複数のフレーム材によって格子状に組み合わされ平面状に形成されている。
また、この背上機能を有する可動自在ベッド部５５を使用する場合も、浴槽２を使用しない使用形態の場合には、可動自在ベッド部５５は、ベッドフレーム２７の長手方向に延びる各フレーム材２６、２６に図示しない取付金具を介して直接設置される。
【００１５】
また、入浴用ネット６０は、図７に示すように、略矩形状に形成されその外形寸法は、洗髪部８を含む浴槽部９内の寸法より若干大きめの寸法に設定されており、ポリエチレン材からなる伸縮可能な紐部材をネット状に配列させた本体部６１と、この本体部６１の左右端に固着されたポリエステル材からなる補強材６２と、本体部６１の前後端に複数（図では各４個）の固定部材６３を介して固着される軸部材６４とから構成されている。これら軸部材６４の左右端部側に、各ワイヤ４０の端部が接続される接続穴６５が形成されている。
【００１６】
次に、本発明の実施の形態に係るバスベッドセット１の使用形態について説明する。
まず、健康状態が良好で介護人が付き添うことにより入浴できる軽度な被介護人が、ベッドとして使用する場合について説明する。
ベッドとして独立して使用する場合には、まず、ベッド部７として、平面状ベッド部４１、背上機能及び脚上機能を有する可動自在ベッド部４５、背上機能を有する可動自在ベッド部５５のいずれかを選択して構成して、このベッド部７を、図示しない取付金具を介してベッドフレーム２７の長手方向に延びる各フレーム材２６、２６に取付金具を介して載置して、その上に例えば図９に示すようなマット７０が敷かれた状態で使用する。
【００１７】
次に、被介護人が寝たきりの状態でベッドに浴槽を組み合わせて使用する場合について説明する。
この使用形態の場合も、ベッド部７は、平面状ベッド部４１、背上機能及び脚上機能を有する可動自在ベッド部４５、背上機能を有する可動自在ベッド部５５のいずれかを選択して構成される。
まず、ベッドとして使用する場合には、上述した構成からなるベッド部７を、浴槽２の段差部１０に載置して、ベッド部７の上に図９に示す分割可能なマット７０を敷いた状態で使用する。
また、被介護人を入浴させる場合には、まず、入浴用ネット６０を軸部材６４を取り外した状態で、被介護人を左右交互に寝返りさせながら、マット７０の上に敷いた後に、入浴用ネット６０の前後に各固定部材６３を介して各軸部材６４を固定し、各駆動ドラム３９から各案内ローラ３８を経由する各ワイヤ４０の端部を、入浴用ネット６０の各軸部材６４に設けた各接続孔６５に接続する。その後、駆動手段により駆動ドラム３９を回転させて、被介護人と共に入浴用ネット６０を上昇させて、入浴用ネット６０とマット７０との間に隙間を形成して、マット７０及び浴槽２の段差部１０に載置されたベッド部７を取り除く。そして、駆動手段により駆動ドラム３９を逆回転させて、被介護人と共に入浴用ネット６０を浴槽部９内に降下させる。すると、図８に示すように、被介護人は、入浴用ネット６０の本体部６１が若干たわむため、浴槽２の浴槽部９内で楽な姿勢で入浴することができる。なお、マット７０は、入浴用ネット６０を敷いた後に、被介護人を左右交互に寝返りさせながら左半分７２及び右半分７１に分割して取り除いてもよい。
【００１８】
また、入浴後は、被介護人と共に入浴用ネット６０を浴槽２の段差部１０より上方まで上昇させて、被介護人に付着した水滴を入浴用ネット６０と一緒に払拭した後、ベッド部７を浴槽２の段差部１０に載置すると共に、マット７０をベッド部７の上に敷いて、その後、被介護人と共に入浴用ネット６０をマット７０の上に降下させる。そして、被介護人を左右交互に寝返りさせて、入浴用ネット６０を取り除いた後に、被介護人の水滴を十分に払拭して入浴を終了する。
【００１９】
なお、ベッドとして使用する時、予めベッド部７とマット７０との間に入浴用ネット６０を挿入した状態としておき、入浴する時には、被介護人を左右交互に寝返りさせながらマット７０を分割して取り除き、被介護人を入浴用ネット６０の上に静止させた状態とする。そして、被介護人と共に入浴用ネット６０を上昇させて、ベッド部７を取り除き、被介護人と共に入浴用ネット６０を浴槽２内に降下させ、被介護人を入浴させることも可能である。
【００２０】
以上説明したように、本発明の実施の形態に係るバスベッドセット１は、浴槽２と、浴槽２を支持可能な支柱３〜６を備えたベッドフレーム２７と、この支柱３〜６に沿って昇降可能であると共に、浴槽２内に設けた段差部１０、あるいはベッドフレーム２７に載置可能なベッド部７とから構成され、また、ベッド部７は、平面状ベッド部４１、背上機能及び脚上機能を有する可動自在ベッド部４５、背上機能を有する可動自在ベッド部５５のいずれかを選択して構成して使用することができるので、使用形態が限られることなく、使用目的に対応して適宜の使用形態で使用することができる。
【００２１】
すなわち、ベッドとして独立して使用する時には、ベッド部７を、平面状ベッド部４１、背上機能及び脚上機能を有する可動自在ベッド部４５、背上機能を有する可動自在ベッド部５５のいずれかを選択して構成して、このベッド部７をベッドフレーム２７の長手方向に延びる各フレーム材２６、２６に、図示しない取付金具を介して載置した状態にして、ベッド部７の上にマット７０を敷いて使用することができる。
【００２２】
また、ベッドに浴槽を組み合わせて使用する時には、ベッドとして使用する時は、平面状ベッド部４１、背上機能及び脚上機能を有する可動自在ベッド部４５、背上機能を有する可動自在ベッド部５５のいずれかを選択してベッド部７を構成し、このベッド部７を浴槽２の段差部１０に載置して、ベッド部７の上にマット７０を敷いて使用することができる。
また、この状態から被介護人を入浴させる時には、被介護人とマット７０との間に入浴用ネット６０を敷き、駆動手段により駆動ドラム３９を回転させて、被介護人と共に入浴用ネット６０を上昇させて、マット７０及びベッド部７を取り除き、その後、被介護人と共に入浴用ネット６０を浴槽２内まで降下させて、入浴用ネット６０で被介護人を支えながら入浴させることが可能となる。
【図面の簡単な説明】
【００２３】
【図１】図１は、本発明の実施の形態に係るバスベッドセットを示す平面図である。
【図２】図２は、図１に示すバスベッドセットの側面図である。
【図３】図３は、図１に示すバスベッドセットの後面図である。
【図４】図４は、本発明の実施の形態に係るバスベッドセットの構成部材である第１形態の平面状ベッド部の斜視図である。
【図５】図５は、本発明の実施の形態に係るバスベッドセットの構成部材である第２形態の背上機能及び脚上機能を有する可動自在ベッド部の斜視図である。
【図６】図６は、本発明の実施の形態に係るバスベッドセットの構成部材である第３形態の背上機能を有する可動自在ベッド部の斜視図である。
【図７】図７は、入浴の際に使用する入浴用ネットを示す図であり、（ａ）は平面図であり、（ｂ）は側面図である。
【図８】図８は、本発明の実施の形態に係るバスベッドセットにおいて、被介護人が入浴している様子を示す側面図である。
【図９】図９は、ベッドとして使用する際に使用するマットを示す斜視図である。
【符号の説明】
【００２４】
１          バスベッドセット
２          浴槽
３〜６      支柱
７          ベッド部
２７        ベッドフレーム
４１        平面状ベッド部
４５        背上機能及び脚上機能を有する可動自在ベッド部
４９        脚上部
５５        背上機能を有する可動自在ベッド部
４７、５７  背上部
【図１】
2005270301.tif 000003
【図２】
2005270301.tif 000004
【図３】
2005270301.tif 000005
【図４】
2005270301.tif 000006
【図５】
2005270301.tif 000007
【図６】
2005270301.tif 000008
【図７】
2005270301.tif 000009
【図８】
2005270301.tif 000010
【図９】
2005270301.tif 000011